(57)【要約】【課題】神社仏閣等に願文を奉納することができ、しかも、一部を持ち帰るためにお守りなどを入れることもできる授与品を提供する。【解決手段】一枚の矩形紙を、a) 第一辺に平行な折線で、第一辺の対辺である第三辺が第一辺よりも手前となるように折り、b) 第一辺に平行な折線で第一辺と第三辺とを一緒に反対側に折り返して第一辺が略中央に来るようにし、c) 第一辺に平行な折線で第一辺と第三辺とを一緒に更に反対側に折り返して第一辺が端よりも手前に来るようにし、d) 第一辺に隣接する第二辺及び第四辺に平行な上下の折線で上下部分をそれぞれ裏に折ることにより作製された祈願袋１。紙の段差が現出した段差部３０により美麗且つ厳粛な袋となる。収納部２１にお守りなどの物品を入れることができる。【選択図】図１
0003164086.tif 000002
【実用新案登録請求の範囲】
【請求項１】
一枚の矩形紙を折って作製された祈願袋であって、
a) 第一辺に平行な折線で、第一辺の対辺である第三辺が第一辺よりも手前となるように折り、
b) 第一辺に平行な折線で第一辺と第三辺とを一緒に反対側に折り返して第一辺が略中央に来るようにし、
c) 第一辺に平行な折線で第一辺と第三辺とを一緒に更に反対側に折り返して第一辺が端よりも手前に来るようにし、
d) 第一辺に隣接する第二辺及び第四辺に平行な上下の折線で上下部分をそれぞれ裏に折ることにより作製され、表面及び裏面の少なくとも一方に願文を記載する箇所が設けられていることを特徴とする祈願袋。
【請求項２】
内部に物品を納めた、請求項１に記載の祈願袋。
【考案の詳細な説明】
【技術分野】
【０００１】
本考案は、紙を折ることによって作製された祈願袋に関する。
【背景技術】
【０００２】
従来より、神社仏閣では、様々な種類の授与品が信者や参拝者等に賦与されている。特に、紙を折って作製されたおみくじやお守り等においては、紙の折り方次第でデザイン性を発揮できることから、特許文献１及び特許文献２で示されるような、趣向を凝らした種々の考案を確認することができる。
【０００３】
ところで、お守りは、賦与された後、自宅に持ち帰って飾っておいたり、身につけておくのが普通である。また、おみくじは、本来は持ち帰るものであるが、神社等の所定の箇所に設けられた紐等に結びつけておくことも多く行われている。いずれにせよ、これらの授与品は、神社仏閣から信者等に一方的に賦与されるのみであり、信者等の側から神社仏閣に対する祈願を伝えることができない。
【０００４】
そこで、信者等が願をかけたい場合は、絵馬に願文を書いて奉納するのが従来行われている方法である。しかし、絵馬はかさばりやすく、神社仏閣側における保管スペースの確保や持ち運び等に多大な労力がかかる。また、絵馬を奉納してしまうと、信者等の手元には祈願の証となるものが何も残らない。
【先行技術文献】
【特許文献】
【０００５】
【特許文献１】実登第3159799号公報
【特許文献２】実登第3158622号公報
【考案の概要】
【考案が解決しようとする課題】
【０００６】
本考案が解決しようとする課題は、神社仏閣等に願文を奉納することができ、しかも、一部を持ち帰るためにお守りなどを入れることもできる授与品を提供することである。
【課題を解決するための手段】
【０００７】
上記課題を解決するために成された本考案は、一枚の矩形紙を折って作製された祈願袋であって、
a) 第一辺に平行な折線で、第一辺の対辺である第三辺が第一辺よりも手前となるように折り、
b) 第一辺に平行な折線で第一辺と第三辺とを一緒に反対側に折り返して第一辺が略中央に来るようにし、
c) 第一辺に平行な折線で第一辺と第三辺とを一緒に更に反対側に折り返して第一辺が端よりも手前に来るようにし、
d) 第一辺に隣接する第二辺及び第四辺に平行な上下の折線で上下部分をそれぞれ裏に折ることにより作製され、表面及び裏面の少なくとも一方に願文を記載する箇所が設けられていることを特徴とする。
【０００８】
上記折り方により、本考案に係る祈願袋は袋状となるため、その内部にお守り等の物品を入れることもできる。
【考案の効果】
【０００９】
本考案に係る祈願袋は、上記のような折り方で作製されるため、本祈願袋全体の左右の辺（第一辺に平行な端辺）の間に、第一辺、第三辺、それに上記c)段階で形成された端辺が平行に並び、紙の段差が現出された美麗且つ厳粛な袋となる。また、信者等の祈願の内容を記入する願文記入欄を備えているため、これを賦与された信者等は、前記願文記入欄に願文を記入した後、絵馬と同様に神社仏閣へ奉納することで、願をかけることができる。さらに、祈願袋は絵馬よりもかさばりにくいため、神社仏閣側における奉納品の保管や持ち運びに係る労力が格段に低減されることになる。
【００１０】
また、上記したように、本考案に係る祈願袋の内部には、お守り等の物品を入れておくことができるので、信者等が祈願袋に願文を記入して奉納した後、内部の物品を持ち帰れば、願をかけた証になる。
【図面の簡単な説明】
【００１１】
【図１】本考案の一実施例である祈願袋の正面図。
【図２】（１）本考案の一実施例である祈願袋の裏面図。（２）本考案の一実施例である祈願袋の裏面において上下の折返し部を開いた図。
【図３】（１）本考案の一実施例で用いられる矩形紙の概略裏面側展開図。（２）本考案の一実施例で用いられる矩形紙の裏面側展開図における折線の相対位置の一例。
【図４】図３（２）の矩形紙を用いて折り順の一例を示した図。
【図５】本考案の一実施例である祈願袋にお守りが入った様子を示す透視図。
【考案を実施するための形態】
【００１２】
以下、図面を参照して本考案に係る祈願袋の一実施例を説明する。図１は、祈願袋１の正面図を示す。祈願袋１の正面には、お守り等の物品を納める収納部２１と、前記収納部２１の正面左端に設定される三段からなる段差部３０とを確認することができる。また、祈願袋１の正面にはあらかじめご利益文や神社仏閣の名前、模様等が印刷されている。
【００１３】
図２（１）に、祈願袋１の裏面図を示す。裏面から見ればわかるように、上下の折返し部２０が、段差部３０に対して垂直な折線２２によって裏面に折り返されることにより、収納部２１を形成している。また、折返し部２０は筒型の形状を成しており、上の折返し部２０が下の折返し部２０の中に挿し込まれている。
【００１４】
図２（２）に、祈願袋１の裏面において上下の折返し部２０を開いた図を示す。祈願袋１を賦与された者は、上下の折返し部２０を開くことにより、収納部２１の中に納められている物品を取り出すことができる。また、折返し部２０を開いて初めて見える位置に、願文を記入するための願文記入欄１５があらかじめ印刷されている。祈願袋１を賦与された者は、収納部２１から物品を取り出した後、空になった祈願袋１の前記願文記入欄１５に願文を記入し、神社仏閣へ奉納することができる。
【００１５】
図３（１）は、祈願袋１の作製に用いられる矩形紙１０の概略裏面側展開図である。ここでは、左短辺を第一辺１１、上長辺を第二辺１２、右短辺を第三辺１３、下長辺を第四辺１４とする。図中の点線は山折り、一点鎖線は谷折りを示し、両矢印の間のアルファベットは折線間の相対距離を示す。短辺と平行な折線間の距離の大小関係は、Ａ＞Ｂ＞Ｃ＞Ｄである。更にＢ、Ｃ、Ｄの大小関係については、おおよそＣ＝２ＤかつＢ＝３Ｄであることが望ましい。Ｂ、Ｃ、Ｄの大小関係をこのようにすれば、段差部３０における段幅が等しくなるため、外観が好ましくなる。長辺と平行な折線間の距離の大小関係については、Ｙ＜Ｘであり、且つＸ＜２Ｙとすれば、図２（１）に示したように、裏面にて上の折返し部２０を下の折返し部２０の中に挿し込むことができるようになる。
【００１６】
図３（２）は、図３（１）においてＡ＝３６、Ｂ＝９、Ｃ＝６、Ｄ＝３、Ｘ＝３２、Ｙ＝１９という具体的な相対比を設定した場合の裏面側展開図である。この場合、長辺と短辺の相対比は９９対７０であり、ＪＩＳ・ＩＳＯ規格のＡ判用紙における長短辺の相対比と同じである。なお、矩形紙１０の大きさは、短辺７〜４２センチメートル、長辺１０〜６０センチメートル程度が適当であるが、Ａ４判（短辺２１センチメートル、長辺２９．７センチメートル）の大きさがより好ましい。
【００１７】
図４は、図３（２）で示した矩形紙１０の折り順の一例を示した図である。
まず、矩形紙１０を、裏面を上として、第一辺１１と第三辺１３とがわずかにずれ、且つ前記第三辺１３が前記第一辺１１より手前にくるように、谷折りにする（Ｓ１）。次に、第一辺に平行な折線で第一辺１１と第三辺１３とを一緒に反対側に折り返して第一辺１１が略中央に来るようにする（Ｓ２）。さらに、第一辺１１に平行な折線で第一辺１１と第三辺１３とを一緒に更に反対側に折り返して第一辺が端よりも手前に来るようにする（Ｓ３）。この工程により、全体が筒状になると同時に、第一辺１１、第三辺１３、それに上記（Ｓ３）段階で形成された端辺からなる縦向きの段差部３０が形成される（Ｓ４）。さらに、第一辺１１に隣接する第二辺１２及び第四辺１４に平行な上下の折線２２で上下部分をそれぞれ裏に折ることにより、上下二つの折返し部２０を設定する。この時、前記した二本の折線２２の間に、収納部２１が形成される（Ｓ４）。最後に裏面にて、上の折返し部２０を下の折返し部２０の中に挿し込み（Ｓ５）、祈願袋１とする（Ｓ６）。
【００１８】
図５は、収納部２１に、信者等が祈願をかけた証としてお守り４０を入れた場合の透視図である。祈願袋の作製工程の中でお守り４０を入れたい場合は、上下の折返し部２０それぞれを裏に折る（図４のＳ５に相当）前に、筒状である折返し部２０から収納部２１へと挿入すれば良い。一方、信者等が前記お守り４０を取り出したい場合は、上下の折返し部２０を開いて全体を筒状にすれば取り出すことができる。
【００１９】
実施例では、祈願袋１の内部に入れる物品をお守りとしたが、収納部２１の収容能力を超えなければ何でもよい。ただし、信者等にとって祈願の証となるような物品であればより好ましい。
【００２０】
実施例では、多当折り型の祝儀袋の慣例にならい、上の折返し部２０を下の折返し部２０の中に挿し込むとしたが、構成上は上下逆にしても差し支えはない。
【００２１】
実施例において、図２（２）で示した願文記入欄１５は枡目を多数連ねた形状であったが、別の形であっても構わない。例えば、枠を一つだけ印刷しておき、枠の中に願文を書き込むようにしても良い。
【００２２】
矩形紙１０には、実施例にて示した以外の場所に願文記入欄、文言、模様を印刷しておいても良い。また、あらかじめ折り線を示す印や線を印刷しておけば、作製がより容易になる。
【００２３】
作業工程において、矩形紙の長辺と短辺とが実施例とは逆であっても良い。更には、正方形の紙であっても本考案の要旨に沿った作製が可能である。
【符号の説明】
【００２４】
１…祈願袋
１０…矩形紙
１１…第一辺
１２…第二辺
１３…第三辺
１４…第四辺
１５…願文記入欄
２０…折返し部
２１…収納部
２２…折線
３０…段差部
４０…お守り
【図１】
0003164086.tif 000003
【図２】
0003164086.tif 000004
【図３】
0003164086.tif 000005
【図４】
0003164086.tif 000006
【図５】
0003164086.tif 000007